(57)【要約】【課題】  内枠体の開閉時に急激な開閉動作が行われることがなく、安全であるとともに、回転部分に負担がかからず、長期にわたって故障等が発生しにくい天井点検口を提供すること。【解決手段】  天井板に開口された開口部に取り付けられる外枠体と、その外枠体の開口部に開閉機構によって開閉可能に組み付けられた内枠体とを備えた天井点検口であって、前記開閉機構は、複数の板状の開閉用部品により構成され、前記外枠体に固定された開閉機構取付部品と前記内枠体とに、それぞれ複数の開閉用部品が一端で回動可能に軸支されるとともに、これら開閉用部品は、互いに他の開閉用部品に回動可能に軸支されてリンク機構を構成し、前記内枠体の開閉時に開閉方向に力が作用した際、前記内枠体の緩徐かつ滑らかな開閉動作が行われるように構成されていることを特徴とする天井点検口。【選択図】    図１
2007126942.tif 000002
【特許請求の範囲】
【請求項１】
天井板に開口された開口部に取り付けられる外枠体と、その外枠体の開口部に開閉機構によって開閉可能に組み付けられた内枠体とを備えた天井点検口であって、
前記開閉機構は、複数の板状の開閉用部品により構成され、
前記外枠体に固定された開閉機構取付部品と前記内枠体とに、それぞれ複数の開閉用部品が一端で回動可能に軸支されるとともに、これら開閉用部品は、互いに他の開閉用部品に回動可能に軸支されてリンク機構を構成し、前記内枠体の開閉時に開閉方向に力が作用した際、前記内枠体の緩徐かつ滑らかな開閉動作が行われるように構成されていることを特徴とする天井点検口。
【請求項２】
前記開閉用部品を構成する２つの開閉用部品Ａ、Ｂは、前記開閉機構取付部品にそれぞれ一端で軸支され、
前記開閉用部品を構成する他の２つの開閉用部品Ｃ、Ｄは、前記内枠体の隅部近傍の側面外側にそれぞれ一端で軸支され、
さらに、これら開閉用部品Ａ、Ｂと開閉用部品Ｃ、Ｄとは、互いに少なくとも他の１箇所で軸支されて２つのリンク機構を構成するとともに、これら２つのリンク機構が共有する１軸で回動可能に結合されて開閉機構を構成している請求項１に記載の天井点検口。
【発明の詳細な説明】
【技術分野】
【０００１】
この発明は、建築物、船舶等の構築物の天井板に開口された開口部に装着される天井点検口に関する。
【背景技術】
【０００２】
建築物、船舶、地下通路等の構築物の天井裏に配設された各種の配線・配管等を保守・点検するために、天井板に開口を形成し、この開口部に天井点検口を設置し、必要が生じた場合には、この天井点検口から天井裏に入って点検や修理等を行うことがよく行われている。
【０００３】
従来より板状体の周囲に枠が設けられた蓋状のものを、単に天井の開口部に載置し、点検の際に蓋を持ち上げて横にずらし、天井裏に入って点検等を行うことが、一般に行われているが、部屋の美観上余り好ましくない。
【０００４】
そこで、開口部に外枠体を取り付けるとともに、その外枠体の開口部に開閉機構によって開閉可能に組み付けられた内枠体とを備えた天井点検口が提案されている。
例えば、特許文献１には、縦横の各内枠材の基壁部の外側からその嵌込み溝に内枠コ−ナ具を差し込むことにより、内枠体が容易に枠組み構成することができる共に、内枠コ−ナ具の嵌込み溝の上方に位置して開閉用アームを配設することにより、外枠体が必要以上に大型化したり、あるいは、内枠体の外張出縁の張り出しが長くなる不具合を防止することができる天井点検口が開示されている。
【０００５】
【特許文献１】特開２０００−６４５８６号公報
【発明の開示】
【発明が解決しようとする課題】
【０００６】
上述した天井点検口は、開閉用アームを備えているので、開閉の際には、内枠体の開閉アームが設けられた側と反対側を下降、上昇させて、内枠体の開閉を行うことができ、極めて便利であるが、開閉の際に、内枠の一部を支持した状態で開閉を行わないと、急激に内枠が回転動作を行って垂れ下がるため、回転軸に負荷がかかりやすく、故障しやすいという問題があった。また、天井点検口の直ぐ下に、身体の一部や物等が存在することも考えられ、この場合には、身体の一部等にぶつかり易く、破損やけが等の不都合が発生し易いという問題があった。
【０００７】
本発明は、上記問題を解決するためになされたものであり、天井板に開口された開口部に取り付けられる外枠体と、その外枠体の開口部に開閉機構によって開閉可能に組み付けられた内枠体とを備えた天井点検口において、内枠体の開閉時に急激な開閉動作が行われることがなく、安全であるとともに、回転部分に負担がかからず、長期にわたって故障等が発生しにくい天井点検口を提供することを目的とする。
【課題を解決するための手段】
【０００８】
すなわち、本発明は、以下のようなものを提供する。
（１）天井板に開口された開口部に取り付けられる外枠体と、その外枠体の開口部に開閉機構によって開閉可能に組み付けられた内枠体とを備えた天井点検口であって、
上記開閉機構は、複数の板状の開閉用部品により構成され、
上記外枠体に固定された開閉機構取付部品と上記内枠体とに、それぞれ複数の開閉用部品が一端で回動可能に軸支されるとともに、これら開閉用部品は、互いに他の開閉用部品に回動可能に軸支されてリンク機構を構成し、上記内枠体の開閉時に開閉方向に力が作用した際、上記内枠体の緩徐かつ滑らかな開閉動作が行われるように構成されていることを特徴とする天井点検口。
【０００９】
（１）の発明によれば、天井点検口を構成する開閉機構は、複数の開閉用部品が外枠体と内枠体とに取り付けられるとともに、互いに他の開閉用部品に回動可能に軸支されてリンク機構を構成し、上記内枠体の開閉時に開閉方向に力が作用した際、上記内枠体は、ゆっくりとしたスムーズな開閉動作を行うので、安全であるとともに、回転部分に負担がかからず、長期にわたって故障等が発生しにくい天井点検口を提供することができる。
【００１０】
さらに、本発明は、以下のようなものを提供する。
（２）  上記（１）記載の天井点検口であって、
上記開閉用部品を構成する２つの開閉用部品Ａ、Ｂは、上記開閉機構取付部品にそれぞれ一端で軸支され、
上記開閉用部品を構成する他の２つの開閉用部品Ｃ、Ｄは、上記内枠体の角部近傍の側面外側にそれぞれ一端で軸支され、
さらに、これら開閉用部品Ａ、Ｂと開閉用部品Ｃ、Ｄとは、互いに少なくとも他の１箇所で軸支されて２つのリンク機構を構成するとともに、これら２つのリンク機構が共有する１軸で回動可能に結合されて開閉機構を構成していることを特徴とする。
【００１１】
（２）の発明によれば、開閉用部品Ａ、Ｂと開閉用部品Ｃ、Ｄとは、互いに少なくとも他の１箇所で軸支されて２つのリンク機構を構成するとともに、これら２つのリンク機構が共有する１軸で回動可能に結合されて開閉機構を構成しているので、上述したように、上記内枠体の開閉時に開閉方向に力が作用した際、上述の共有１軸が回転軸の役割を果たすとともに、リンク機構により適切な位置に移動することが可能である。従って、本発明によれば、ゆっくりとしたスムーズな開閉動作を実現することができ、安全であるとともに、回転部分に負担がかからず、長期にわたって故障等が発生しにくい天井点検口を提供することができる。
【発明の効果】
【００１２】
本発明によれば、天井点検口の開閉を行う際に、ゆっくりとしたスムーズな開閉動作を行わせることができるので、安全であるとともに、回転部分に負担がかからず、長期にわたって故障等が発生しにくい天井点検口を提供することができる。
【発明を実施するための最良の形態】
【００１３】
以下、本発明の実施形態について図面を用いて説明する。
勿論、本発明は、以下の実施形態に限定されるものではなく、本発明の構成を充足する範囲内で、適宜設計変更を行うことが可能である。
【００１４】
図１（ａ）は、本発明に係る天井点検口の角部の一部を模式的に示す平面図であり、（ｂ）は、（ａ）に示した部分を含む天井点検口の縦断面図である。図２（ａ）は、開閉用部品取付金具（開閉機構取付部品）を模式的に示す平面図であり、（ｂ）は、該開閉用部品取付金具の正面図であり、（ｃ）は、該開閉用部品取付金具の側面図である。図３（ａ）は、開閉用部品を構成する開閉用部品Ａを示す平面図であり、（ｂ）は、開閉用部品Ｂを示す平面図であり、（ｃ）は、開閉用部品Ｃを示す平面図であり、（ｄ）は、開閉用部品Ｄを示す平面図である。
【００１５】
図４（ａ）は、外枠体の角部に取り付ける角金具を模式的に示す平面図であり、（ｂ）は、該角金具の側面図であり、（ｃ）は、該角金具の正面図である。図５（ａ）は、内枠体の角部に取り付ける角金具を模式的に示す平面図であり、（ｂ）は、該角金具の側面図であり、（ｃ）は、該角金具の正面図である。
【００１６】
本発明の天井点検口１０では、天井の開口に設けられ、鉛直方向に所定幅の側壁を有する平面視四角形の外枠体２７が天井部分に固定され、その内側に設けられたほぼ相似形で小型の内枠体２４が、上記四角形の１辺を軸として（正確には、一対の回転機構を軸として）、外枠体２７に回動可能に支持されるとともに、開閉（回動）動作を行うように構成されており、本発明は、この開閉機構に特徴を有する。なお、内枠体２４内部の下部には、板状体が設けられて、内枠体２４の底部２４０を構成している。
【００１７】
まず、図４、５に示す角金具２５、２６について説明すると、この角金具２５、２６は、図１に示す内枠体２７及び内枠体２４の開閉機構が設置される角部に外側から取り付けられるもので、開閉用部品Ｃ、Ｄ１３、１４や開閉用部品取付金具１６を取り付けるための部材として機能するとともに、外枠体２７及び内枠体２４の機械的強度を補強するための補強部材としても機能する。
【００１８】
図４に示す外枠体用の角金具２５は、主面が直角に屈曲した板状体で、一方の面にボルトを螺着するための２つの溝付き貫通孔２５ａ、２５ｂが形成されており、そのほかに外枠体２７に固定する際に使用する矩形の開口２５ｃ、２５ｄ、２５ｅが３箇所形成されている。
【００１９】
図５に示す内枠用の角金具２６は、同様に主面が直角に屈曲した板状体であるが、一面に開閉用部品Ｃ１３、開閉用部品Ｄ１４を軸支するための貫通孔１１０ａ、１１０ｂを有する横長長方形の板状体１１０がプレス加工により突出形成されており、そのほかに内枠体２４に固定する際に使用する矩形の開口２６ａ、２６ｂ、２６ｃが３箇所形成されている。
【００２０】
図２に示す開閉用部品取付金具１６は、開閉用部品Ａ、Ｂ１２、１５を取り付けるための部材であり、直角に屈曲した外枠取付部１６ｂと開閉用部品取付部１６ａとからなり、これらが一体的に形成されており、図１（ａ）に示すように、外枠体２７の内側の角部に近い部分に取り付けられる。上述したように、外枠体２７の角部の外側には角金具２５が取り付けられており、開閉用部品取付金具１６は、真ん中に外枠体２７を挟んで角金具２５に取り付けられ、外枠体２７の角部が角金具２５によりしっかりと補強されることになるので、負荷がかかっても歪み等が発生しにくく、破損等が発生することもない。
【００２１】
図３（ａ）〜（ｄ）には、開閉用部品を構成する開閉用部品Ａ〜Ｄ１２、１５、１３、１４が示されているが、これらは全て平板状の板状体である。開閉用部品Ａ１２は、くの字形状に屈曲した形状となっており、両端に軸支用の貫通孔１２ａ、１２ｂが形成されている。開閉用部品Ｂ１５は、縦方向に幅の広い部分と狭い部分とからなり、狭い部分の先端に軸支用の貫通孔１５ａが形成されるとともに、広い部分に軸支用の２個の貫通孔１５ｂ、１５ｃが所定の間隔で形成されている。
【００２２】
開閉用部品Ｃ１３は、ジグザグに３回屈曲した形状となっており、両端に軸支用の貫通孔１３ａ、１３ｂが形成されるとともに、ほぼ中央の部分に他の軸支用の貫通孔１３ｃが形成されている。開閉用部品Ｄ１４は、ほぼ直角に屈曲した形状となっており、両端に軸支用の貫通孔１４ａ、１４ｂが形成されている。
【００２３】
これらの開閉用部品Ａ〜Ｄ１２、１５、１３、１４で開閉機構を構成するが、その際、図１及び図６（ａ）〜（ｃ）に示すように、開閉用部品Ａ１２は、一端の貫通孔１２ａにおいて開閉用部品取付金具１６の貫通孔１６０ａに回動可能に軸支されるとともに、他端の貫通孔１２ｂにおいて開閉用部品Ｃ１３（貫通孔１３ｂ）に軸支されている。
開閉用部品Ｂ１５は、一端の貫通孔１５ａで開閉用部品取付金具１６の貫通孔１６０ｂに回動可能に軸支されるとともに、中に位置する貫通孔１５ｂにおいて開閉用部品Ｃ１３（貫通孔１３ｃ）に軸支され、他端の貫通孔１５ｃで開閉用部品Ｄ１４（貫通孔１４ｂ）に軸支されている。なお、符号１７は、軸支するために使用する軸支部材を示しており、符号１８は、開閉用部品Ｄ１４と開閉用部品Ｂ１５との間に介在するワッシャを示している。他の部分には明確に記載していないが、各部材の軸支部分には、同様の機能を有する軸支部材１７及びワッシャ１８等が配設されている。
【００２４】
また、開閉用部品Ｃ１３は、その一端の貫通孔１３ａで内枠体２４に固定される角金具２６に設けられた板状体１１０の貫通孔１１０ａ（図５参照）に回動可能に軸支され、他端の貫通孔１３ｂで上述したように開閉用部品Ａ１２（貫通孔１２ｂ）に軸支され、中に位置する貫通孔１３ｃで開閉用部品Ｂ１５（貫通孔１５ｂ）に軸支されている。
【００２５】
開閉用部品Ｄ１４は、一端の貫通孔１４ａで角金具２６に設けられた板状体１１０の貫通孔１１０ｂに軸支されるとともに、他の一端の貫通孔１４ｂは、開閉用部品Ｃ１５（貫通孔１５ｃ）に軸支されている。
【００２６】
このように、開閉用部品Ａ〜Ｄ１２、１５、１３、１４がそれぞれ軸支されることにより、貫通孔（軸支部分）１２ａ、１２ｂ（１３ｂ）、１５ｂ（１３ｃ）、１５ａの４箇所によりリンク機構Ｘが構成されており、また、貫通孔（軸支部分）１３ａ、１３ｃ（１５ｂ）、１５ｃ（１４ｂ）、１４ａの４箇所によりリンク機構Ｙが構成されており、力が加わることにより、力に応じてリンク機構Ｘ、Ｙを構成する軸支部分の位置が変化していくが、本発明の場合、貫通孔（軸支部分）１３ｃ（１５ｂ）が両方のリンク機構に共通して存在する。すなわち、リンク機構Ｘ、Ｙは、貫通孔（軸支部分）１３ｃ（１５ｂ）を共通の結合軸として結合されている。従って、これらリンク機構Ｘ、Ｙに外力が作用した際、貫通孔（軸支部分）１３ｃ（１５ｂ）を中心として、両方のリンク機構がお互いに力のバランスを取りながら、次第に変形していくため、内枠体２４のゆっくりとしたスムーズな開閉動作を実現することができる。
【００２７】
図６（ａ）〜（ｃ）は、この開閉機構の動作を３回に分けて示した縦断面図であり、４つの開閉用部品が互いに軸支し合っており、内枠体２４及び外枠体２７に直接軸支されていない軸支部分をα、β、γとして示す。
図６（ａ）に示すように、天井点検口１０の内枠体２４が閉まった状態では、開閉用部品Ａ〜Ｄ１２、１５、１３、１４のそれぞれのいずれかの部分が水平状態となっており、位置が移動する軸支部分α、β、γは、最も高い位置にある。
【００２８】
次に、（ｂ）に示すように、内枠体２４が開いて一端が下降を始めると、２つのリンク機構Ｘ、Ｙが結合軸であるβ部分で力のバランスを取りながら、ゆっくりと下降していく。このとき、αとβとは、互いに垂直の位置関係を保っており、βとγとは、水平位置からγがβに比べて下降していくが、内枠体２４の底部２４０とは、平行の関係を保ち続けている。
【００２９】
そして、内枠体２４が完全に開き、鉛直の状態となった場合には、（ｃ）に示すように、α、β、γが一直線の鉛直の状態となる。すなわち、この開閉動作において、α、βは、垂直の関係を保ち続けるが、βとγとは、内枠体２４の底部と平行の関係を保ちながら、次第に傾いていき、βを固定軸とみると、γが回転していき、最後に鉛直の状態となる。従って、内枠体２４の底部２４０は、β−γと同じ角度で回転し、内枠体２４が開く動作が行われることとなる。このように、βが２つのリンク機構の結合軸及び回転軸の役割を果たし、かつ、回転軸が移動しながら、内枠体２４の開閉動作が行われるので、ゆっくり、かつ、スムーズな開閉動作を実現することができる。なお、当然ながら、このような開閉機構は、天井点検口１０の角部近傍の対向する２箇所に設けられているため、２箇所存在するβを回転軸として、内枠体２４が開閉動作を行うのである。
【００３０】
なお、図１（ｂ）に示す天井点検口において、外枠体２７及び内枠体２４の上に設けられているのは、下がり防止金具２２であり、内枠体２４をロックした際、内枠体２４がその状態を保持できるようになっている。また、図１（ｂ）の左側に示すように、内枠体２４の開閉機構が設けられている部分と反対の部分には、通常、内枠体２４を閉鎖状態でロックするためのロック機構が設けられている。下がり防止金具２２は、閉じた状態で上述のように機能するが、ロックを解除すると内枠体２４と離れた状態となる。すなわち、ロックを解除すると、内枠体２４は、その自重により徐々に下降する。
【００３１】
また、内枠体２４の下部から外枠体２７まで所定幅で外側に延設された部分の見栄えをよくするために樹脂カバー２３が設けられており、内枠体２４の延設部分に、下側から嵌め込む構造となっている。
【００３２】
図７（ａ）は、ロック機構を構成するロック軸を示す正面図であり、（ｂ）は、その平面図である。また、図８（ａ）は、ロック機構を構成するロックカムを示す平面図であり、（ｂ）は、側面図である。
【００３３】
ロック軸２１は、取り付けた際に下端となる部分（図７では、左端）にドライバーを差し込むためのドライバー用溝２１ａが形成され、上端となる部分（図７では、右端）に固定金具２８を挿入するための有底孔２１ｂが形成されている。また、図８に示すように、ロックカム１９は、略四角形状で、固定金具２８を挿入するための貫通孔１９ａが形成されるとともに、角部の１箇所が少し上向きに傾斜している。また、上向きに傾斜した部分の対角となる部分は、下に屈曲しており、回転させた際のストッパーとなる。
【００３４】
図１（ｂ）の左側に示すように、ロック軸２１は、内枠体２４の外側にロック軸２１を取り囲むように設けられたロック取付金具２０により回動可能に取り付けられ、内枠体２４及び外枠体２７の上端において、ロックカム１９の貫通孔１９ａとロック軸２１の凸部２１ｂの形状が合うようにロック軸２１の先端にロックカム１９が配置され、固定金具２８で固定されている。
【００３５】
ロックカム１９は、上記態様で設置された後、回転させることにより、内枠体２４がロック状態となったり、ロックが解除されたりする。ロックカム１９は、角部の１箇所を上向きに傾斜させているので、ロックカム１９をスムーズに外枠体２７の上端の上に移動させることができ、ストッパーにより一定の範囲でのみ回転するようになっている。
【００３６】
本発明では、通常、天井点検口１０の内枠体２４を図１（ｂ）に示すように、閉じた状態としているが、点検等を行う場合には、まず、開閉機構と反対側に配設されたロック軸２１のドライバー溝２１ａにドライバーを差し込んで回転させ、ロックが解除された状態とする。
【００３７】
このように、ロックを解除すると、内枠体２４の自重により、そのまま放置しても所定の速度で、ロック機構が形成された側がゆっくりと下降し、最後には、ほぼ内枠体２４が鉛直の状態となる（図６（ｃ）参照）。
【００３８】
内枠体２４をこのような状態とすることにより、天井裏の点検を容易に行うことができ、内枠体２４が急激に降下することによる危険な状態を回避することができる。また、スムーズな開閉を実現することができるので、回転部分に負担がかからず、長期にわたって故障等が発生しにくい天井点検口を提供することができる。
【図面の簡単な説明】
【００３９】
【図１】（ａ）は、本発明に係る天井点検口の角部の一部を模式的に示す平面図であり、（ｂ）は、（ａ）に示した部分を含む天井点検口の縦断面図である。
【図２】（ａ）は、開閉機構取付金具を模式的に示す平面図であり、（ｂ）は、該開閉機構取付金具の正面図であり、（ｃ）は、該開閉機構取付金具の側面図である。
【図３】（ａ）は、開閉用部品を構成する開閉用部品Ａを示す平面図であり、（ｂ）は、開閉用部品Ｂを示す平面図であり、（ｃ）は、開閉用部品Ｃを示す平面図であり、（ｄ）は、開閉用部品Ｄを示す平面図である。
【図４】（ａ）は、外枠体の角部に取り付ける角金具を模式的に示す平面図であり、（ｂ）は、該角金具の側面図であり、（ｃ）は、該角金具の正面図である。
【図５】（ａ）は、内枠体の角部に取り付ける角金具を模式的に示す平面図であり、（ｂ）は、該角金具の側面図であり、（ｃ）は、該角金具の正面図である。固定用金具の一例を示す側面図であり、（ｂ）は別の角材固定用金具を示す側面図である。
【図６】（ａ）〜（ｃ）は、この開閉機構の動作を３回に分けて示す縦断面図である。
【図７】（ａ）は、ロック機構を構成するロック軸を示す正面図であり、（ｂ）は、その平面図である。
【図８】（ａ）は、ロック機構を構成するロックカムを示す平面図であり、（ｂ）は、側面図である。
【符号の説明】
【００４０】
１０  天井点検口
１２  開閉用部品Ａ
１３  開閉用部品Ｃ
１４  開閉用部品Ｄ
１５  開閉用部品Ｂ
１６  開閉用部品取付金具
１７  軸支部材
１８  ワッシャ
１９  ロックカム
２０  ロック取付金具
２１  ロック軸
２２  下がり防止金具
２３  樹脂カバー
２４  内枠体
２５、２６  角金具
２７  外枠体
２８  固定金具
【図１】
2007126942.tif 000003
【図２】
2007126942.tif 000004
【図３】
2007126942.tif 000005
【図４】
2007126942.tif 000006
【図５】
2007126942.tif 000007
【図６】
2007126942.tif 000008
【図７】
2007126942.tif 000009
【図８】
2007126942.tif 000010